【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】
コイン(136)の受入装置(104)と、
前記受入装置(104)で受け入れたコイン(136)を一個毎に分離して搬送する選別搬送装置(130)と、前記選別搬送装置(130)の搬送経路（185，205）に沿って、かつ、その搬送方向に向かって小径から大径の順に形成された複数の金種毎の選別部(146)と、
前記選別部(146)から分配されるコインをバラ積み状態に保留し、かつ、一個ずつ払い出すコインホッパ(230,232,234,236,238,240,242,244)の複数を、上下に複数列に並べ、かつ、上下に位置するコインホッパが垂直方向に整列されているコイン保留装置(132)と、
前記選別部(146)から前記複数のコインホッパへコイン(136)をそれぞれ案内する案内路(260,262,264,266,274,276,278,280)と、
前記複数のコインホッパ(230,232,234,236,238,240,242,244)から払い出されたコインを払出口(110)へ送る払出装置(134)とを有するコインの受入払出装置。
【請求項２】
前記選別搬送装置(130)が、硬貨が案内されるガイドレール(180,182)とエンドレスベルト(166)を含み、前記コイン保留装置(132)の上方において前記コインホッパ(230,232,234,236,238,240,242,244)の列に沿って上下に並置され、前記選別部(146)が前記ガイドレール(180,182)に沿って上下の位置関係で配置されている請求項１のコインの受入払出装置。
【請求項３】
前記選別部(146)が前記ガイドレール(180,182)と平行であって所定間隔を有するゲージレール(184,206)を有する請求項2のコインの受入払出装置。
【請求項４】
上側の選別部(178)は上側のコインホッパ列(245)に案内路(274,276,278,280)を介して連通され、下側の選別部(176)は下側のコインホッパ列(237)に案内路(260,262,264,266)を介して連通されている請求項３のコインの受入払出装置。
【請求項５】
前記選別搬送装置(130)の前記搬送経路(185,205)が前記コイン(136)の面方向に傾斜しており、前記上下の位置関係に配置された選別部(176,178)が垂直方向に整列しており、前記垂直方向に整列した案内路(260,262,264,266,274,276,278,280)が前記搬送経路(185,205)の傾き方向に隣接している請求項４のコインの受入払出装置。
【手続補正２】
【補正対象書類名】明細書
【補正対象項目名】０００９
【補正方法】変更
【補正の内容】
【０００９】
本発明は、前記選別搬送装置が、硬貨が案内されるガイドレールとエンドレスベルトを含み、前記コイン保留装置の上方において前記コインホッパの列に沿って上下に並置され、前記選別部が前記ガイドレールに沿って上下の位置関係で配置されていることが好ましい。
この構成において、硬貨はエンドレスベルトにより押されてガイドレール上を転がって搬送経路を横方向に搬送される。
【手続補正３】
【補正対象書類名】明細書
【補正対象項目名】００２２
【補正方法】変更
【補正の内容】
【００２２】
振分装置124は、たとえば、第一搬送装置120の近傍から第２搬送装置126上に向かって下降するスライドボード142である。
スライドボード142は、第２搬送装置126直上の下端部を支点にソレノイド(図示せず)によってピボット運動され、その上端と第一搬送装置120の端部との間に落下口を形成するようにしたものである。
この落下口の下方に上下方向に伸びる前記返却通路140が配置され、その下端開口は、払出装置134の上に位置している。
【手続補正４】
【補正対象書類名】明細書
【補正対象項目名】００２９
【補正方法】変更
【補正の内容】
【００２９】
図6に示すように、下ガイドレール180と後述の上ガイドレール202は、エンドレスベルト166と平行に傾斜している同一平面内に配置されている。
また、下ゲージレール184と後述の上ゲージレール206は、エンドレスベルト166と平行な同一平面内に配置されている。
【手続補正５】
【補正対象書類名】明細書
【補正対象項目名】００３４
【補正方法】変更
【補正の内容】
【００３４】
上選別部178は、コイン136が転がり、その下縁位置を規制する上ガイドレール202と、上ガイドレール202よりも上方に僅かに突出するよう上ガイドレール202の下側に密着配置した上もたれ板204と、上ガイドレール202から所定の間隔で上ガイドレール202に対し平行に配置した上ゲージレール206とを含んでいる。
【手続補正６】
【補正対象書類名】明細書
【補正対象項目名】００３６
【補正方法】変更
【補正の内容】
【００３６】
上搬送経路205は、上ガイドレール202、上もたれ板204の上側面207、上ゲージレール206の上側面209によって囲まれた空間である。
下搬送経路185同様に、上搬送経路205の上側側方にガイドボード284を配置し、これによってコイン136を案内し、飛び出しを防止することが好ましい。
コイン136は上搬送経路205において、その重量により上ガイドレール202に下周面を接触し、下側側面を上もたれ板204の上側面207に支えられ、かつ、上部下側面を上側面209で支えられて転がりつつ横方向に移動する。
【手続補正７】
【補正対象書類名】明細書
【補正対象項目名】００３８
【補正方法】変更
【補正の内容】
【００３８】
これにより、上ガイドレール202上を転がる20セントコインは、その上縁部側面が上ゲージレール206の上側面209に支えられないので20セント落下孔216に落下して選別される。
1ユーロゲージ部210においては、1ユーロコインが1ユーロ落下孔218に落下する。
50セント用ゲージ部212においては、50セントコインが50セント落下孔220に落下する。
【手続補正８】
【補正対象書類名】明細書
【補正対象項目名】００４１
【補正方法】変更
【補正の内容】
【００４１】
なお、下搬送経路185と上搬送経路205の傾斜角度は、垂直線に対し20度から40度の範囲がよい。
傾斜角度が大きい場合、幅方向の寸法が大きくなり装置が大型化する欠点があり、傾斜角度が小さい場合、コイン136が下ガイドレール180及び上ガイドレール202から落下し易くなるためである。
【手続補正９】
【補正対象書類名】明細書
【補正対象項目名】００４９
【補正方法】変更
【補正の内容】
【００４９】
第2コインホッパ232は、ベース228の上面に沿って配置したガイドレール(図示せず)に沿ってサイドカバー116側へ引出し可能である。
すなわち、第2コインホッパ232は図5において右方へ引出すことができる。
第2コインホッパ232を引出し可能にすることにより、コインの補充やコインホッパのメンテナンスを行うのに便利である。
【手続補正１０】
【補正対象書類名】明細書
【補正対象項目名】００５０
【補正方法】変更
【補正の内容】
【００５０】
また、第2コインホッパ232は、所定の位置に挿入することによりホッパ側のコネクタ300が本体側のコネクタ301に自動的に差し込まれ、電源ラインと信号ラインとがそれぞれ接続されるようになっている。
第1コインホッパ230は、1セントコインを保留し、第２コインホッパ232は2セントコインを保留し、第3コインホッパ234は10セントコインを保留し、第4コインホッパ236は5セントコインを保留し、第5コインホッパ238は20セントコインを保留し、第6コインホッパ240は1ユーロコインを保留し、第7コインホッパ242は50セントコインを保留し、第8コインホッパ244は2ユーロコインを保留する。
コインホッパは、投入されたコインを受け入れ、一個ずつ払い出す機能を有していれば他の方式を採用することができる。
【手続補正１１】
【補正対象書類名】明細書
【補正対象項目名】００５１
【補正方法】変更
【補正の内容】
【００５１】
次にコイン選別部146とコイン保留装置132とを連通する案内路を図5、7及び8を参照して説明する。
図8に示すように、前記１セント落下孔194の下方には、1セント案内路260、２セント落下孔196の下方には２セント案内路262、１０セント落下孔198の下方には10セント案内路264及び５セント落下孔200の下方には5セント案内路266が形成されている。
【手続補正１２】
【補正対象書類名】明細書
【補正対象項目名】００５３
【補正方法】変更
【補正の内容】
【００５３】
図7に示すように、２０セント落下孔216の下方に20セント用案内路274、1ユーロ落下孔218の下方に1ユーロ用案内路276、５０セント落下孔120の下方に50セント用案内路278及び２ユーロ落下孔220の下方に2ユーロ用案内路280が配置されている。
これら案内路は、上カバー282とガイドボード284及び側壁286とにより斜め下方に伸びるトンネル状に形成される。
【手続補正１３】
【補正対象書類名】明細書
【補正対象項目名】００５９
【補正方法】変更
【補正の内容】
【００５９】
次に本実施例の作用を説明する。
まず、投入したコイン136を対応する金種のコインホッパに収納するケースを説明する。
受入口106に投入されたコイン136は、第一搬送装置120により搬送されつつ一列、かつ、所定の間隔に並べられる。
そして、金種判別装置122によって真偽を判別され、正貨のときに金種が判定される。
【手続補正１４】
【補正対象書類名】明細書
【補正対象項目名】００６５
【補正方法】変更
【補正の内容】
【００６５】
20セント、1ユーロ、50セント及び2ユーロコインは、下選別部176では落下しないで、ホイール170部でUターンされ、上選別部178に移動される。
それらコインは、上ガイドレール202と、上もたれ板204と、上ゲージレール206とにより案内されて分離セクション１50側へ上搬送経路205を搬送される。
【手続補正１５】
【補正対象書類名】明細書
【補正対象項目名】符号の説明
【補正方法】変更
【補正の内容】
【符号の説明】
104  受入装置
110  払出口
130  選別搬送装置
132  コイン保留装置
134  払出装置
136  コイン
146  選別部
166  エンドレスベルト
176  下選別部
178  上選別部
180  下ガイドレール
202  上ガイドレール
184  下ゲージレール
185  下搬送経路
205  上搬送経路
206  上ゲージレール
230,232,234,236,238,240,242,244  コインホッパ
237  下コインホッパ列
245  上コインホッパ列
260,262,264,266,274,276,278,280  案内路
【手続補正１６】
【補正対象書類名】図面
【補正対象項目名】図４
【補正方法】変更
【補正の内容】
【図４】
2004246531.tif 000001
【手続補正１７】
【補正対象書類名】図面
【補正対象項目名】図５
【補正方法】変更
【補正の内容】
【図５】
2004246531.tif 000002
【手続補正１８】
【補正対象書類名】図面
【補正対象項目名】図６
【補正方法】変更
【補正の内容】
【図６】
2004246531.tif 000003